(57)【要約】【課題】  本発明は、普段記事になることの少ないスポーツやボランティア等の各種活動に係る集中的且つ興味深い記事による新しい読者の開拓と、関係者よりはじまる確実な部数の増加を得て、スポーツ，各種活動の人気高揚・普及を促して社会に貢献し、併せて新聞という媒体の価値観を高め、紙面の充実による読者の増加という健全な発展を実現することのできる新聞の拡販方法を新規に提供するものである。【解決手段】  本発明は発行する新聞の紙面の一部を１０区画等に区分して、１区画づつを説明・予定・結果・内容等の情報を発信し伝達したい大学・高校等の教育団体，スポーツ団体，ボランティア団体，華道，茶道，各種武道，歌唱・演劇芸能等の団体などに無償提供して該新聞の一面等に各分野の興味ある記事を集中掲載することにより、学生，社会人をはじめ各界の人々の幅広い購読を促して新聞の発行・販売部数を増加させることを特徴とする新聞の拡販方法にある。【選択図】図１
2005332108.tif 000002
【特許請求の範囲】
【請求項１】
発行する新聞の紙面の一部を１０区画等に区分して、１区画づつを説明・予定・結果・内容等の情報を発信し伝達したい大学・高校等の教育団体，スポーツ団体，ボランティア団体，華道，茶道，各種武道，歌唱・演劇芸能等の団体などに無償提供して該新聞の一面等に各分野の興味ある記事を集中掲載することにより、学生，社会人をはじめ各界の人々の幅広い購読を促して新聞の発行・販売部数を増加させることを特徴とする新聞の拡販方法。
【請求項２】
普段、新聞に掲載されにくい特殊分野の団体等に１区画づつを無償提供して、普段新聞に載りにくい情報・記録等を掲載することにより、当該分野の団体等に新規に新聞を購読してもらうようにする請求項１記載の新聞の拡販方法。
【請求項３】
無償提供により新聞紙面に記事を掲載した団体等は当該新聞の定期購読を契約する請求項１または２に記載の新聞の拡販方法。
【発明の詳細な説明】
【技術分野】
【０００１】
この発明は新聞の拡販方法に関するものである。
【背景技術】
【０００２】
従来の新聞の拡販方法は購読を促す広告のほか拡張員が戸別訪問して購読者を増やすようにしている。
【特許文献１】なし
【発明の開示】
【発明が解決しようとする課題】
【０００３】
しかしながら、単なる拡販広告は横並びで訴求力が弱く、拡張員を使う勧誘手段は費用が嵩むほか、しつこい勧誘はかえって新聞のイメージダウンを招きかねないというおそれがある。また拡販広告，拡張員による勧誘には多かれ少なかれ契約に伴う景品等がつきまとい、景品等につられた契約は新聞内容との関係を生じないために契約期間の満了とともに購読が打ち切られてしまい、それをまた景品等の魅力で契約に結びつけるという悪循環が繰返されていて、記事と読者の密接な結びつき，新聞というメディアの再認識，新聞の記事内容による購読者の増加という健全で安定した形での発行部数の拡大が行われていないという課題がある。
【課題を解決するための手段】
【０００４】
本発明は、発行する新聞紙面の一面，半面，見開き二面などを１０区画等に区分して、１区画づつを予定・結果・内容等の情報を発信し伝達したい大学・高校等の教育団体，スポーツ団体，趣味のサークル，ボランティア団体，華道，茶道，各種武道，歌唱・演劇芸能等の団体などの各種団体等に無償提供して該新聞の一面等に各分野の興味ある記事を目立つように集中掲載することにより、学生，社会人をはじめ各界の人々の幅広い購読を促すことによって新聞の発行・販売部数を増加させるようにしたのである。紙面の一部を無償提供することにより、普段新聞記事に載ることの少ない活動団体等も高額な新聞掲載料を憂うことなく発信伝達したい情報を新聞に掲載することができるものとなり、これらの情報を読み知るために掲載した団体および関係者、目新しい記事に興味を覚えた読者は積極的に当該新聞の購読を望むものとなる。また紙面を無償で提供するかわりに記事を掲載する団体等に一定部数の定期購読を約束してもらうことにより新聞の発行・販売部数を確実に安定して増加させることができることとなる。
【発明の効果】
【０００５】
本発明は以上のようにして、新聞は掲載記事の内容によって新たな読者を魅きつけ購読者を増加して発行部数を拡大することができるという効果を生ずる。独自の記事を掲載することによって新聞メディアの再認識を促し，イメージアップを図ることができるという効果を生ずる。記事内容に始まる新聞の購読は親近感も生じて自然に長続きするという効果を生ずる。
【０００６】
紙面の無償提供にて小さな集団，個人の活動など普段は記事として掲載されることの少ないスポーツ，ボランティア等各種の活動に関しても集中した紙面に目立つ特集記事が掲載されることとなって新鮮な興味深さを与えるので、関係者に加えて一般読者を啓蒙し競技や活動の普及に貢献することができるという効果を生ずる。
【０００７】
記事を掲載する団体等は新聞掲載のための高額な負担を生ずることなく、掲載紙の定期購読というさほど負担とならない日常行為により新聞というマスメディアを通じて情報を発信し伝達することができるので、各種団体等の活動の活発化を大いに刺激することができるという効果を生ずる。
【０００８】
拡張員の雇用・景品費用等の経費を要せず、しかも掲載記事を誘因とするイメージアップの伴う健全で安定した拡販方法にて新聞の発行・販売部数を増加させることができるという効果を生ずる。
【発明を実施するための最良の形態】
【０００９】
本発明は発行する新聞の紙面の集中した一部スペースを複数の区画に区分して、１区画づつを予定・結果・内容等の情報を発信し伝達したい大学・高校等の教育団体，アマチュア・プロスポーツの団体，趣味のサークル，ボランティア活動の団体，華道，茶道，各種武道，歌唱・演奏・演劇芸能等の団体などに無償提供して該新聞の一面等に各分野の興味ある情報記録等の記事を目立つように集中掲載することにより、学生，社会人をはじめ各界の人々の幅広い購読を促すことによって新聞の発行・販売部数を増加させるようにしたのである。紙面を無償提供するかわりに記事を掲載する団体・関係者等に当該新聞の一定部数を定期購読してもらうようにすることにより、記事の掲載を希望する団体等は経済的な負担感少なくして新聞に情報等を掲載することができ、さらに普段新聞に取り上げられることの少ない特殊分野の団体等にも新聞に情報記事を掲載する機会を提供し、競技や活動の普及に貢献しながら一般読者を啓蒙して記事内容への興味にはじまる購読者の増加を図り、また読者の反響を一般紙面にも反映させることによって継続的な購読者を育み、さらに活動の高揚・普及にともなって新たな活動・団体への参加者すなわち新規の読者を得ることができて拡販を前向きに増進することができることとなる。
【実施例１】
【００１０】
図１は本発明の紙面構成の１例を示すもので、ここではスポーツという共通性を得てスポットを当て、今までに記事として扱われることの少なかったスポーツを目立つように集中して興味深く紹介する特集記事のページとしたのである。
【００１１】
図面では新聞１のある一面１ａを見出し区画２と１１個に等区分したそれぞれの記事区画３とにて構成している。見出し区画２には特集記事内容の紹介等を記載し、各記事区画３内にはそれぞれのスポーツの団体等が掲載を望む、予定（日程），写真等を含む既に終了した大会等の内容や結果、新参加者の募集などの内容（図示してない）を記事として掲載するようにしたのである。レイアウトに統一性を持たせることなどの工夫によって集中した記事をより人目を惹くようにすることもできる。普段、目にすることのなかった様々なジャンルのスポーツが集中して掲載されている特集記事はその興味深さによって学生・社会人をはじめ各界の人々の幅広い購読を促すことができるものとなる。
【００１２】
また特集記事の紙面・区画は無償で提供され、記事を載せる団体等は１区画掲載について当該新聞の１００部，２００部の１年間購読等を約束することとするのである。団体の構成員や関係者らは自分達に関わる記事に大いなる興味と歓心を持つために多くは自ら進んで購読を申し出ることとなる。新聞の購読は日常的行為であるので各人の負担感はほとんどないものである。また記事の関係者らは記事に直接関係のない友人・知人らにも記事の掲載を宣伝するものである。記事関係者による熱心な紹介は単なる拡販宣伝とは異なる大きな力を秘めていて自然と記事への興味も高まるため、約束された部数以上の増加も見込まれるものとなる。このような新たな新聞購読者は、特集記事を企画して掲載した新聞に好感を抱いて読者となり、また引続く一定期間の購読により自分達の記事以外にも当然目を通す機会を得ることによって新聞紙面全体に関心を持ち、約束の期間を越えてさらに長期の読者となり得る可能性を開くことができることとなる。
【００１３】
このようにして新鮮で興味深い特集記事による啓蒙と普及効果とにより競技への参加者・応援者等も増えて活動が活発になれば、自ずと再び特集記事が組まれる機会も生ずることとなり、記事掲載によるさらなる購読者の増加が約束されて新聞の発行部数は確実に安定拡大してゆくこととなるのである。
【００１４】
なお、このような特集記事の対象とするのは、ユニークなスポーツに限らずメジャーなプロスポーツにかくれた各地の小さなアマチュアスポーツ大会の関係団体などでもよいし、図２の例に示すボランティア活動の団体のほか趣味のサークル，華道，茶道，武道，歌唱・演奏・演劇等の活動団体、また営利・非営利等のジャンル・種別は問わないものである。特集記事をきっかけにして例えばボランティア活動への社会的関心が高まれば読者の共感を得て一般記事としての要望も増えることとなって新聞紙面はさらに充実し、社会的意義のある活動を支える大きな力へと発展してゆくことと予想される。記事掲載の希望者は区画ごとに募集してもよいし、小さな集団を統括する連合団体等にスペースの全面を一括して提供するようにしてもよい。また記事区画は２乃至複数個分を連結した１スペースとして使用するようにすることもある。いずれにしても新鮮で目新しい記事が集中的に紙面を飾ることによって新聞読者の新たな興味・関心を得ることができるものとなる。
【産業上の利用可能性】
【００１５】
本発明は以上のようにして、普段あまり目に触れることのない新鮮な記事の集中した際立つ紙面構成によって読者の興味を惹き、また、目立たないけれども重要な活動などの啓蒙・普及に貢献し得て社会的な和を拡げ、以って記事の内容と記事の関係者よりはじまる新聞の発行・販売部数の増大を図ることができるものとなり、部数の安定増大によって新聞紙面をより充実してゆく原動力となり得るものである。
【図面の簡単な説明】
【００１６】
【図１】新聞紙面のある一面の区分例を示す正面図
【図２】同、見開き二面のレイアウト例のひとつを示す正面図
【符号の説明】
【００１７】
１は新聞
２は見出し区画
３は記事区画
【図１】
2005332108.tif 000003
【図２】
2005332108.tif 000004